(57)【要約】      （修正有）【課題】従来の距離計測機能付パターを使う場合、パターの目盛り基準線を目の高さに合わせ難いこと、カップを見てグリップ目盛りの２桁数値を読取り、その中間域は都度暗算をするなど、使い勝手に課題があった。【解決手段】グリップ目盛りの基準を目の高さ、即ち視界の水平線に合わせ易くするために、グリップ終端部の目盛り基準位置を薄い板と貫通穴で明確にした。目盛りは推奨テークバック量の１０ｃｍ単位を任意の小図形で対応させ、その個数を各目盛りに表記することで、日常のモノサシ感覚で無理なく読取れるようにした。【選択図】図４
0003121876.tif 000002
【実用新案登録請求の範囲】
【請求項１】
グリップ終端部もしくはその周辺に設けた貫通穴を基準に、シャフト部にかけて或る間隔毎に目盛りを設けたパターのグリップにおいて、
前記グリップ終端付近の貫通穴形状は横長にして、グリップ端面の一部が薄い板状に見える事を特徴とした距離計測機能付パターのグリップ。
【請求項２】
グリップ端面に薄い金属板を装着し、外側表面の反射光と貫通穴内側の反射光が見える事を特徴とした請求項１記載の距離計測機能付パターのグリップ。
【請求項３】
或る間隔毎に設けた前記目盛りには任意形状の小図形を並べ、その数でカップまでの距離数に適したテークバック量を表現することを特徴とした請求項１記載の距離計測機能付パターのグリップ。
【請求項４】
前記目盛りに設けた任意形状の小図形は、前記目盛り周辺を除く他のグリップ側面にも設ける事を特徴とした請求項３記載の距離計測機能付パターのグリップ。
【請求項５】
前記目盛りの区間は他と異なる単一色で示す事を特徴とした請求項１記載の距離計測機能付パターのグリップ。
【考案の詳細な説明】
【技術分野】
【０００１】        本考案はゴルフのパッティングの際に、カップまでの距離とそれに適したパターのテークバック量が読取れる距離計測機能付パターにおいて、計測し易いグリップ形状と目盛りの付け方を提供するものである。
【背景技術】
【０００２】        従来の計測方法はボールからカップまでの歩数で測っていたが誤差が大きく、精度良く測るには相当の経験が必要であった。
一方特願２００５−５０４５０４で記載されている方法は、グリーン上のボール位置でパターのグリップ終端を目の高さに合わせて吊り下げ、腕は伸ばしたままカップを見た時の目線とパターの交点位置から、カップまでの距離数を求めるための目盛りをグリップに装着すると同時に、パッティングを振り子として扱い、カップまでの距離を転がすに必要な最適テークバック量を前述の目盛りに記載して、プレーの動きの中で瞬時に読取る手段を提供している。
【考案の開示】
【考案が解決しようとする課題】
【０００３】        グリップ終端に設けた目盛りの基準位置を計測中の目の高さに合わせる方法として、視界の水平線に基準位置を合わせる訳だが、パターのターゲットが曖昧で合わせずらかった。
またカップまでの距離数と推奨テークバック量はグリップ基準位置から各目盛りまでの長さを切の良い数値で求めていた為、目盛りに記載するテークバック量が半端な数になっていた。従って実際のカップ位置が目盛りの中間にある場合、適切なテークバック量を目盛りから直感的に読取る事が難しかった。
【課題を解決するための手段】
【０００４】        本考案は特願２００５−５０４５０４が有する課題を解決するもので、グリップ終端部に貫通穴を設けて部分的に薄い平板を構成、視界の水平線に合わせるターゲットを持たせる事で、目盛りの基準を目の高さに合わせやすくする。
またグリップの目盛り位置は推奨テークバック量を例えば２０ｃｍから１０ｃｍ単位になる位置に目盛りを設け、目盛り間隔が開く場合は２ｃｍ単位もしくは５ｃｍ単位と言った、普段の生活で馴染みのある単位で区間を刻む方法を採用する。
【考案の効果】
【０００５】        グリーン上の緊張する雰囲気の中で素早くカップまでの距離を計測し、その距離に最適のテークバック量が読取れる事は、専らグリーンの傾斜や芝芽を読む事に多くの時間を割く事が出来、自然と心に余裕さえ生まれて来る。
いろいろな情報を基にパッティングするため、仮に失敗してもその原因分析が容易に行え、次のプレーに素早く修正が出来る。
更に切りの良い数値を目盛りに採用する事で、例えばアラビア数字そのものをグリップに印刷するのではなく、いろいろな造形で目盛りを表現すれば、グリップの意匠規模が飛躍的に拡大する。
【考案を実施するための最良の形態】
【０００６】        図１はグリーン上に立ってボール位置からカップまでの距離を計測する際の模式図である。図２は傾斜を持ったグリーン上で振り子半経Ｒでパッティングをする場合、振り角βのテークバックによって生まれたパター先端の等価重量Ｍの位置エネルギーは、一部が打ったボールｍの運動エネルギーに変換され、そのエネルギーは芝の抵抗μによる摩擦熱とグリーン傾斜角θによる位置エネルギー等に消失する。詳しくは特願２００５−５０４５０４に記載してあるのでここでは省略する。
図３で示す様にグリップ１の目盛り基準線２は終端部に埋め込んだ薄い金属板３にして、金属板の上・下面反射光が共に見える様に貫通穴４を用意する。こうする事で視界の水平線に合わせ易く、仮に背景が山腹とか森林の様に水平線が見つけにくい場合は、正面にかざした金属板の上面５から反射光が見えればグリップの下げ過ぎ、下面６から反射光が見えればグリップの上げ過ぎ、と言った方法で微調整が出来る。【０００７】        振り子式パッティングの理論式からテークバック量に対するボールの転がり量は、標準的体型とパター重量及び芝の抵抗値を定めれば求められる。身長１７０ｃｍ、平坦なグリーンの場合、テークバック量を切の良い数値を採ってボールの転がり量を求めたのが表１である。
【表１】
0003121876.tif 000003
【０００８】        次に図１で示す距離計測法によって表１のボール転がり量を測るために、グリップ目盛り基準位置から必要とする目線交差位置までの長さＹを求めたのが表２である。
【表２】
0003121876.tif 000004
【０００９】        身長の違いと芝の抵抗値が異なるコースでの修正方法は、練習グリーン上で平坦な場所を選び、テークバック量４０ｃｍを目安にパッティングをする。転がったボール位置を本パターを使って計測する際に、グリップ基準位置を目の高さに合わせながら腕の長さを前後に伸縮し、ボールを見る目線がグリップ目盛り４０ｃｍで交差する様に調整する。プレー本番はこの腕の長さでパターを持ち、カップまでの距離を計測すれば最適のテークバックが読取れることは、既に特願２００５−３４７０００でも詳述している。【００１０】        例えば身長１７０ｃｍのプレーヤが使用するパターを１９０ｃｍのプレーヤが使う場合を考えて見る。芝の抵抗値はそのままにして、同じテークバック量でパッティングした時のボールの転がり量を試算したのが表３である。
【表３】
0003121876.tif 000005
【００１１】        この転がり量を１７０ｃｍプレーヤが使った目盛りで読むための腕の長さ比（Ｋ＝腕の長さ／身長）を求めてみる。
【表４】
0003121876.tif 000006
【００１２】        １９０ｃｍのプレーヤは若干腕を伸ばして計測すれば、１７０ｃｍ使用の同一目盛りで精確に読取れることを意味している。即ち腕の伸縮範囲の中で適切な目盛りを選択すれば、おおよそ身長１６０〜２００ｃｍまでのパターを同一目盛りでカバー出来る。
芝の抵抗値が高くなると転がる距離も減少するので、試打で距離計測する際に腕の長さをその分短縮しながら、実際のテークバック量へ目盛りの数値をもって行き、実戦ではその時の腕の長さを使えば良い事は上述の通りである。
【実施例１】
【００１３】        図４は本考案の全体像を示すもので、図３に示す目盛り基準用薄板３はじめ貫通穴４がある。基準線２から順次３．６ｃｍ、５．２ｃｍ、８．１ｃｍ、１３．９ｃｍ、２８．４ｃｍの所には、それぞれ任意の小図形７を６個、５個、４個、３個、２個づつ配置する。勿論  小図形１個はテークバック量１０ｃｍを意味する。
更にはテークバック量２０ｃｍ代、３０ｃｍ代、４０ｃｍ代の目盛り間隔が広すぎるため、２０ｃｍ代は２ｃｍ間隔で、３０ｃｍと４０ｃｍ代は５ｃｍ間隔に目盛りを追加している。何れの目盛りにもアラビア数字を表示させることなく、線分もしくは任意の小図形の数で表現しているのが特徴である。
【実施例２】
【００１４】        図５は本考案の応用例で目盛りの表示エリアＡを除く他のグリップ表面には目盛りに使った任意の小図形７−ａを多数散りばめ、手の滑り止めを兼ねたデザインにしている。
尚、目盛りの表示エリアＡは図５に示す以外のグリップ側面でも良く、その場合は貫通穴４も目盛り位置に合わせてグリップ終端の見易い方向に設けると良い。また各目盛の区間は表示エリアＡを印刷する色違いで見易くしても良く、或いはグリップ素材そのものに色素を混在させ、グリップを輪切り状に色違いにしてもデザイン的に斬新さが表現できる。
【図面の簡単な説明】
【００１５】
【図１】グリーン傾斜角に対する距離計測法の原理図
【図２】パッティングの振り子理論  テークバック量とボールの転がり量の関係を示す図
【図３】本考案のグリップ終端に埋め込んだ目盛り基準用薄板と目盛りの関係図
【図４】本考案のグリップ概観図  目盛り表示エリアにはテークバック量を１０ｃｍ単位に小図形の数で表示
【図５】本考案の応用例  目盛りに使う小図形をグリップの他の側面にも滑り止め用に分散させる
【符号の説明】
【００１６】  １．  パターのグリップ
２．  計測用目盛りの基準線
３．  基準線を兼ねた金属製の薄い板
４．  グリップ終端に設けた貫通穴
５．  金属製薄板の上面
６．  金属製薄板の下面
７．  テークバック量の１０ｃｍ単位を任意の小図形１つで表現
７−ａ  滑り止め用の任意の小図形
Ａ    目盛り表示エリア
一般にはパターヘッドのトー側。  右利き、左利き共に使える
Ｂ    グリーン上のボール位置
Ｃ    グリーン上のカップ位置
Ｒ    振り子式パッティングの半経（首付け根支点からパターヘッドまで）
Ｍ    パター先端の等価重量（パター重量、腕重量の複合）
ｍ    ボールの重量
μ    芝の転がり抵抗係数
θ    グリーンの傾斜角
Ｘ    パッティングした時のボールの転がる距離
Ｙ    グリップの目盛り基準位置から目線交差位置までの距離
【図１】
0003121876.tif 000007
【図２】
0003121876.tif 000008
【図３】
0003121876.tif 000009
【図４】
0003121876.tif 000010
【図５】
0003121876.tif 000011